(57)【特許請求の範囲】
【請求項１】
帳票を次々と送り出す帳票供給部と、前記帳票に付されたマークを読み取る読取装置と、前記帳票供給部から送り出された帳票を積層状態で収納するスタッカ部と、このスタッカ部に積層される帳票の間に前記読取装置の情報に応じて合紙を挿入する合紙挿入装置を備え、この合紙挿入装置が、帳票の面方向にずらした位置に選択的に合紙を、その合紙の両端が前記帳票の両側に延び出すように挿入する構成であることを特徴とする合紙挿入装置付スタッカ。
【請求項２】
前記合紙挿入装置が、前記スタッカ部に集積される帳票の面方向にずらした位置に合紙を挿入させることができるよう、複数台設けられていることを特徴とする請求項１記載の合紙挿入装置付スタッカ。
【発明の詳細な説明】
【０００１】
【発明の属する技術分野】
本発明は、帳票を積層状態で収納するスタッカに関し、特に、積層された帳票を区分けするために帳票と後続の帳票との間に区分け用の合紙を挿入する装置を備えたスタッカに関する。
【０００２】
【従来の技術】
従来、所定の情報を印字した単票の帳票を、徐々に降下する集積台の上に次々と供給することにより積層状態として収納して行くスタッカが使用されている。また、その帳票を集積台上に積層状態となるように集積して行く際、連続して供給されてくる帳票を、関連のある帳票の単位毎に区分け（以下、名寄せという）するため、名寄せすべき関連のある帳票の最後のものとその上に積み重ねられる次の帳票との間に、幅の狭い合紙を、少なくともその一端が帳票の端縁から外側に延び出すように挿入する合紙挿入装置を備えたものも知られている。
【０００３】
【発明が解決しようとする課題】
ところが、従来の合紙挿入装置を備えたスタッカでは、積み重ねられた帳票の同じ位置に合紙が挿入されており、そのため、積み重ねられた帳票の合紙挿入部が合紙の厚みの累積によって盛り上がり、帳票が不安定となって崩れが生じやすいという問題があった。また、合紙挿入装置が１台のため、合紙挿入装置が故障すると、合紙挿入ができず、従って、名寄せされた帳票と後続の名寄せされた帳票とを区分けする名寄せ機能が不能となるという問題もあった。
【０００４】
本発明は、上述の問題点に鑑みて為されたもので、合紙を挿入しながら帳票を積み重ねてゆくにも係わらず、集積した帳票に崩れを生じにくい合紙挿入装置付スタッカを提供することを目的とする。また、本発明は、名寄せ機能を損なうことのほとんど無い合紙挿入装置付スタッカを提供することを第二の目的とする。
【０００５】
【課題を解決するための手段】
本発明は上記問題点を解決するため、積み重ねて行く帳票の間に合紙を挿入するに際し、帳票の面方向にずらした位置に選択的に合紙を、その合紙の両端が前記帳票の両側に延び出すように挿入する構成としたものであり、この構成により、積み重ねた帳票に対して合紙を挿入した位置が複数個所に分散され、合紙挿入による盛り上がりが複数個所に分散されて、個々の盛り上がりは小さくなり、帳票が崩れにくくなる。ここで、合紙を帳票の面方向にずらした位置に選択的に挿入するための機構としては、１台の合紙挿入装置を用い、その合紙挿入装置を、合紙挿入の都度移動させる構成としてもよいが、この代わりに、定位置に配置された複数の合紙挿入装置を備えた構成とすることが好ましい。複数の合紙挿入装置を用いた場合、１台の合紙挿入装置が故障した時には、残りの合紙挿入装置で合紙挿入を行うことができるため、名寄せ機能は損なわれない。
【０００６】
【発明の実施の形態】
請求項１の発明のスタッカは、帳票を次々と送り出す帳票供給部と、前記帳票に付されたマークを読み取る読取装置と、前記帳票供給部から送り出された帳票を積層状態で収納するスタッカ部と、このスタッカ部に積層される帳票の間に前記読取装置の情報に応じて合紙を挿入する合紙挿入装置を備え、この合紙挿入装置が、帳票の面方向にずらした位置に選択的に合紙を、その合紙の両端が前記帳票の両側に延び出すように挿入する構成であることを特徴とする。
【０００７】
本発明は上述構成により、合紙挿入装置が、前記読取装置からの情報に基づいて、帳票と帳票の間に合紙を挿入するが、その際、帳票の面方向にずらした位置に順次に合紙を、その合紙の両端が前記帳票の両側に延び出すように挿入してゆく。これにより、積み重ねられた帳票に対して合紙を挿入した位置が複数個所に分散され、且つ合紙の長手方向に関しては帳票全体に合紙が挿入され、合紙挿入による盛り上がりが小さくなって、帳票が崩れにくくなる。
【０００８】
請求項２の発明のスタッカは、スタッカ部に集積される帳票の面方向にずらした位置に合紙を挿入させることができるよう、合紙挿入装置を複数台設けたことを特徴とする。このように、合紙挿入装置を複数台設けた場合、１台の合紙挿入装置が故障した時には、残りの合紙挿入装置で合紙挿入を行うことができるため、名寄せ機能は損なわれない。
【０００９】
【実施例】
図１は本発明の一実施例による合紙挿入装置付スタッカを示す概略側面図、図２はその概略平面図、図３は図１のＡ−Ａ矢視概略平面図、図４は図１のＢ−Ｂ矢視概略側面図、図５はこの実施例の装置に使用する連続帳票を示す概略斜視図である。図１〜図５において、１は所定の情報を記録した連続帳票であり、両側縁に送り用のピン穴２を有すると共に、長手方向に適当な間隔を開けて、単票の帳票１Ａに切り離すためのミシン目３を有している。また、その連続帳票１には、名寄せのための情報を示すマーク４が印字されている。
【００１０】
１０は、折り畳んだ状態の連続帳票１を引き出し、搬送するピントラクター、１２はその連続帳票１の両側縁部を切断して除去するためのスリッター、１４は引き出した連続帳票１を個々の帳票１Ａに裁断して送り出す帳票裁断部であり、インフィードローラ１５、アウトフィードローラ１６、ブレード１７を備えている。２０は、連続帳票１に印字されたマーク４を読み取る読取装置であり、その読取装置２０が読み取ったマーク４が示す名寄せ情報は、後述するように名寄せ部及び合紙挿入装置の制御に使用される。
【００１１】
２１は、切り離した単票の帳票１Ａを搬送して下流に送り出す帳票供給部であり、複数本の搬送ベルト２２と押えコロ２３等を備えている。２４は帳票供給部２１から送り出された帳票１Ａを受け取り、積層状態で収納するスタッカ部である。このスタッカ部２４は、連続して排出されてくる関連のある帳票１Ａのみを一旦集積して名寄せし、次の帳票１Ａが送られて来た時には、先に名寄せした帳票を下方に送ることで後続の帳票１Ａから分離する名寄せ部２５と、その名寄せ部２５の下方に配置され、名寄せ部２５から排出される帳票１Ａを積層状態に受け取る集積部２６を有している。
【００１２】
名寄せ部２５としては、公知の構成をものを適宜使用可能であるが、本実施例では、互いに対称なスパイラルを備えた一対のスパイラルファン２８と、ストッパ２９を有するものが使用されている。この名寄せ部２５による名寄せは次のように行われる。すなわち、一対のスパイラルファン２８が、図６（ａ）、（ｂ）に示す状態で停止している間に、その一対のスパイラルファン２８の上に、帳票１Ａが次々と送られて集積され、名寄せすべき帳票の最後のものが送られた直後に、図７（ａ）、（ｂ）に示すように、読取装置２０（図１参照）からの情報に基づいて一対のスパイラルファン２８が互いに反対方向に回転する。これにより、先に名寄せされた帳票１Ａは、スパイラルファン２８のスパイラルに沿って下方に送られ、後続の帳票１Ａ′が集積される位置から分離される。スパイラルファン２８は、最初の位置から１回転したところで停止し、先に名寄せされた帳票１Ａを下方に排出し、再び図６（ａ）、（ｂ）に示す状態となる。以下、同様の動作を繰り返すことで、所定の帳票１Ａを名寄せして、下方に排出できる。
【００１３】
図１〜図４において、集積部２６は、名寄せ部２５から下方に排出される帳票１Ａを受け取る位置に配置された集積台３０を有し、その集積台３０はその上に積み重ねられる帳票１Ａの最上面がほぼ同じ高さに保たれるよう、帳票の積み重ねにつれて下降するようになっている。
【００１４】
スタッカ部２４は、更に３台の合紙挿入装置３２を備えている。各合紙挿入装置３２は、巻取状態でセットされている合紙３３を引き出し、集積台３０上に集積されている帳票１Ａの上に送り出す送りローラ３４と、送り出された合紙３３を切り離すカッター３５等を備えている。従って、名寄せ部２５から名寄せした帳票１Ａを集積台３０上に排出した後、その上に合紙挿入装置３２で合紙３３を送り出し、次いで再び名寄せ部２５から名寄せした帳票１Ａを排出するという動作を繰り返すことにより、名寄せされた帳票間に合紙３３を挿入して行くことができる。ここで、帳票１Ａ間に挿入される合紙３３は、合紙３３の両端が帳票１Ａの両側に延び出すように挿入される。３台の合紙挿入装置３２は、図３、図４から良く分かるように、集積台３０上に集積される帳票１Ａの幅方向に離れた位置に合紙３３を挿入するように即ち帳票の面方向にずらした位置に合紙３３を挿入するように配置されており、且つそれぞれ単独に駆動されるようになっている。従って、３台の合紙挿入装置３２を選択的に動作させることにより、帳票の面方向にずらした位置に選択的に合紙３３を挿入することができる。なお、図示は省略しているが装置全体を制御する制御装置が設けられており、下記の動作を制御するようになっている。
【００１５】
次に、上記構成の合紙挿入装置付スタッカについて、その動作を説明する。
ピントラクター１０が連続帳票１を引き出し、スリッター１２がその両側縁のマージンの部分を切り離し、帳票裁断部１４が連続帳票１を単票の帳票１Ａに切り離して帳票供給部２１に送り出す。また、読取装置２０は連続帳票１のマーク４を読み取り、単票の帳票１Ａの名寄せ情報を制御装置（図示せず）に出力する。帳票供給部２１は単票の帳票１Ａを次々と名寄せ部２５に排出し、名寄せ部２５は名寄せすべき所定の帳票１Ａを一対のスパイラルファン２８上に集積する。そして、名寄せすべき最後の帳票１Ａが一対のスパイラルファン２８上に排出されると、制御装置は読取装置２０による読取情報に基づいてその排出タイミングを判断し、一対のスパイラルファン２８を１回転させる。これにより、名寄せされた帳票１Ａが下方に送られ、集積台３０上に排出される。また、後続の帳票１Ａは一対のスパイラルファン２８上に集積され、名寄せされる。
【００１６】
名寄せした帳票１Ａが集積台３０に落下すると、そのタイミングを制御装置が判断して、一つの合紙挿入装置３２を作動させ、合紙３３を集積台３０上の帳票１Ａの上に送り込む。その後、名寄せ部２５での名寄せ終了につれて、再び一対のスパイラルファン２８が１回転し、名寄せした帳票１Ａを排出し、集積台３０上の帳票１Ａ及び合紙３３の上に積み重ねる。これにより、名寄せした帳票と、次の名寄せした帳票との間に合紙３３が挿入されることとなる。
【００１７】
次に、集積台３０上に排出され、集積された帳票１Ａの上に、今度は、別の合紙挿入装置３２が作動して合紙３３を送り込む。以下同様の動作を繰り返すことにより、帳票裁断部１４で単票に切り離され、次々と排出される帳票１Ａが名寄せ部２５で名寄せされ、下方の集積台３０上に積み重ねられると共に、各名寄せした帳票１Ａ間に、合紙３３が３台の合紙挿入装置３２を順次使用して挿入されてゆく。かくして、集積台３０上に集積された帳票１Ａには、合紙３３が３ヶ所に分散して挿入され、そのため、合紙挿入による盛り上がりが小さく、しかも、合紙３３は、その両端が帳票１Ａの両側に延び出すように挿入されるので、集積した帳票１Ａの前後方向の盛り上がりも均等となり、集積した帳票が崩れにくく、安定した集積が行われる。
【００１８】
以上に述べた集積時において、帳票裁断部１４及びその下流の帳票供給部２１は、高速で次々と単票の帳票１Ａを排出しているが、排出された帳票１Ａは一旦、名寄せ部２５で名寄せすべき枚数だけ留められ、その後、集積台３０に排出されるため、名寄せした帳票１Ａが集積台３０に排出された後、次の帳票１Ａが排出されるまでには、かなりの時間があり、この間に合紙３３を挿入すればよい。このため、合紙３３の挿入に十分な時間が確保され、確実に合紙挿入が行われる。
【００１９】
１台の合紙挿入装置３２が故障した時には、残りの合紙挿入装置３２で合紙挿入を行う。これにより、名寄せ機能が損なわれることはない。
【００２０】
なお、上記実施例では、合紙挿入装置３２を３台配置しているが、合紙挿入装置３２の使用台数は３台に限らず、２台或いは４台以上としてもよい。複数台の合紙挿入装置３２の配置は、帳票１Ａの中心に対して対称となる位置に配置することが好ましい。この構成とすると、合紙３３を挿入しながら積み上げてゆく帳票１Ａが安定し、崩れにくい利点が得られる。また、複数の合紙挿入装置３２を配置するに際し、全ての合紙挿入装置３２を集積台３０に対して片側に配置する場合に限らず、図８に示すように、合紙挿入装置３２を集積台３０の両側に配置するようにしてもよい。
【００２１】
以上の実施例はいずれも、複数台の合紙挿入装置３２を定位置に設けており、その複数台の合紙挿入装置３２を選択的に動作させることによって、帳票の面方向にずらした位置に選択的に合紙を挿入しているが、本発明はこの構成に限らず、単一の合紙挿入装置を用い、それを移動させることで合紙の挿入位置をずらせる構成とすることも可能である。すなわち、１台の合紙挿入装置を、帳票の面方向に設定された複数の合紙挿入位置に移動可能としておき、その複数の合紙挿入位置の中から、合紙の挿入毎に合紙挿入位置を選択し、その選択された合紙挿入位置に合紙挿入装置を移動させ、合紙を帳票の面方向にずらした位置に挿入するようにしてもよい。この場合、合紙挿入装置を移動させる機構は任意であり、例えば、帳票の幅方向に沿ってガイドを設け、そのガイドに合紙挿入装置を移動可能に保持させ、更に、そのガイドに沿って合紙挿入装置を移動させるボールねじとナットの組み合わせによる送り機構と、ボールねじを駆動するモータからなる移動装置を設けることによって容易に実現できる。
【００２２】
また、上記実施例では、スタッカ部２４が名寄せ部２５を有しているが、本発明にとって名寄せ部２５は必ずしも必須ではなく、帳票供給部２１から直接集積部２６に帳票を供給して集積する構成としてもよい。更に、上記実施例では、帳票供給部２１の上流に連続帳票を単票の帳票に裁断する帳票裁断部１４を設けているが、帳票裁断部１４を省略し、別の場所で単票とした帳票を帳票供給部２１にセットし、帳票供給部２１でそれを１枚ずつ引き出して送り出す構成としてもよい。
【００２３】
【発明の効果】
以上に説明したように、本発明のスタッカは、帳票を次々と送り出す帳票供給部と、前記帳票に付されたマークを読み取る読取装置と、前記帳票供給部から送り出された帳票を積層状態で収納するスタッカ部と、このスタッカ部に積層される帳票の間に前記読取装置の情報に応じて合紙を挿入する合紙挿入装置を備え、この合紙挿入装置が、帳票の面方向にずらした位置に選択的に合紙を、その合紙の両端が前記帳票の両側に延び出すように挿入する構成としたものであるので、スタッカ部で積み重ねて行く帳票間に、帳票の面方向にずらした位置で合紙を挿入して行くことができ、帳票間に挿入した合紙による盛り上がりを小さく分散させて、帳票の崩れを防止でき、安定した操業が可能となるという効果を有している。
【００２４】
ここで、前記合紙挿入装置を複数台設けることによって、前記スタッカ部に集積される帳票の面方向にずらした位置に合紙を挿入させる構成としておくと、１台の合紙挿入装置が故障した時には、残りの合紙挿入装置で合紙挿入を行うことができ、このため、名寄せ機能を損なうことがないという効果が得られる。
【図面の簡単な説明】
【図１】  本発明の一実施例による合紙挿入装置付スタッカを示す概略側面図
【図２】  図１に示す実施例の概略平面図
【図３】  図１のＡ−Ａ矢視概略平面図
【図４】  図１のＢ−Ｂ矢視概略側面図
【図５】  上記実施例に使用する連続帳票を示す概略斜視図
【図６】  上記実施例に使用した名寄せ部の動作を説明するもので、（ａ）は名寄せ中の状態を示す概略平面図、（ｂ）はその時の概略側面図
【図７】  上記実施例に使用した名寄せ部の動作を説明するもので、（ａ）は名寄せを終わってスパイラルファンを回転させている途中の状態を示す概略平面図、（ｂ）はその時の概略側面図
【図８】  合紙挿入装置の配置の変形例を示す概略平面図
【符号の説明】
１  連続帳票
１Ａ  単票の帳票
４  マーク
１０  ピントラクター
１２  スリッター
１４  帳票裁断部
１５  インフィードローラ
１６  アウトフィードローラ
１７  ブレード
２０  読取装置
２１  帳票供給部
２４  スタッカ部
２５  名寄せ部
２６  集積部
２８  スパイラルファン
２９  ストッパ
３０  集積台
３２  合紙挿入装置
３３  合紙
【図１】
0004004084.tif 000002
【図２】
0004004084.tif 000003
【図３】
0004004084.tif 000004
【図４】
0004004084.tif 000005
【図５】
0004004084.tif 000006
【図６】
0004004084.tif 000007
【図７】
0004004084.tif 000008
【図８】
0004004084.tif 000009